(57)【要約】【課題】コストの増大を招くことなく、表示領域における輝度を均等にすることのできる発光調節装置を得る。【解決手段】デジタルカメラ１０によれば、液晶パネルの表示領域を照明する複数のＬＥＤ６０Ａ、６０Ｂ、６０Ｃからの発光光量を検出し、当該発光光量に基づいて、上記液晶パネルの表示領域における輝度が均等となるように上記発光光量を調節する。【選択図】  図４
2004325845.tif 000002
【特許請求の範囲】
【請求項１】
画像を表示するための表示手段と、各々互いに異なる位置に配置されると共に、発光することにより前記表示手段の表示領域を照明する複数の発光手段と、を有する表示装置の前記発光手段の発光光量を調節する発光調節装置であって、
前記複数の発光手段からの発光光量を検出する光量検出手段と、
前記光量検出手段により検出された発光光量に基づいて、前記表示領域における輝度が均等となるように前記複数の発光手段の発光光量を調節する光量調節手段と、
を備えた発光調節装置。
【請求項２】
前記表示手段を液晶パネルとし、
前記複数の発光手段を前記液晶パネルのバックライトとした
請求項１記載の発光調節装置。
【請求項３】
前記光量調節手段は、前記複数の発光手段が１つずつ発光された状態で前記光量検出手段により検出された各発光手段毎の発光光量が同一となるように前記複数の発光手段の発光光量を調節する
請求項１又は請求項２記載の発光調節装置。
【請求項４】
前記光量検出手段を、隣接する前記発光手段の中間部でかつ当該隣接する発光手段の双方の発光光量が検出可能な位置に配置した
請求項１乃至請求項３の何れかに記載の発光調節装置。
【発明の詳細な説明】
【０００１】
【発明の属する技術分野】
本発明は、複数の発光手段によって画像を表示するための表示手段の表示領域が照明される表示装置の上記発光手段の発光光量を調節する発光調節装置に関する。
【０００２】
【従来の技術】
近年、画像を表示する表示装置として、ブラウン管ディスプレイ、液晶ディスプレイ、有機ＥＬディスプレイ、プラズマディスプレイ等、用途に応じた各種ディスプレイが用いられている。
【０００３】
一方、これらの表示装置には、例えば液晶ディスプレイの液晶パネルのように、表示領域自体は暗く、そのままでは表示された画像の視認性が低い表示手段が用いられているものがある。
【０００４】
このような表示装置では、表示手段の表示領域に表示された画像の視認性を向上させるために、外部からの光を採光して表示領域に照射するものや、バックライトを内蔵して当該バックライトの光を表示領域に照射するものが広く普及している。
【０００５】
このうち、バックライトが内蔵された表示装置では、発光管やＬＥＤ（発光ダイオード）等の発光素子から光が射出され、射出された光が拡散板を介して表示領域に照射されることにより、表示領域全体が照明されるようになっている。
【０００６】
ところで、表示内容を違和感なく視認できるようにするためには、発光素子からの射出光が表示領域全体にムラなく均一に照射されることが望ましい。
【０００７】
そこで、従来、液晶表示装置において、液晶表示面の走査線位置に対応するバックライトの輝度制御値を予め記憶しておき、走査線位置を検出して、検出した走査線位置に対応する輝度制御値に応じて走査線毎にバックライトの輝度を調整して液晶表示面上の輝度を補正均一化するバックライト制御方式があった（例えば、特許文献１参照。）。
【０００８】
【特許文献１】
特開平１０−２３９６５９号公報
【０００９】
【発明が解決しようとする課題】
しかしながら、上記従来のバックライト制御方式では、液晶表示面の走査線位置のみに応じてバックライトの輝度を調整しているため、バックライトが複数の発光素子により構成されている場合で、かつ各発光素子の輝度にバラツキがあった場合には対応できない。
【００１０】
ところが、発光素子は、一般に、同一仕様のものであっても同じ量の電流を流したときの発光光量にバラツキ（所謂、製造バラツキ）が生じる。
【００１１】
このため、上記従来のバックライト制御方式においてバックライトの制御を高精度に行うためには、バックライトを構成する複数の発光素子として、各発光素子の発光光量のバラツキが極力少ないものを選定する作業が必要となり、この結果として装置のコストが増大する、という問題点があった。
【００１２】
本発明は、上記問題点を解決するためになされたものであり、コストの増大を招くことなく、表示領域における輝度を均等にすることのできる発光調節装置を提供することが目的である。
【００１３】
【課題を解決するための手段】
上記目的を達成するために、請求項１に記載の発明は、画像を表示するための表示手段と、各々互いに異なる位置に配置されると共に、発光することにより前記表示手段の表示領域を照明する複数の発光手段と、を有する表示装置の前記発光手段の発光光量を調節する発光調節装置であって、前記複数の発光手段からの発光光量を検出する光量検出手段と、前記光量検出手段により検出された発光光量に基づいて、前記表示領域における輝度が均等となるように前記複数の発光手段の発光光量を調節する光量調節手段と、を備えている。
【００１４】
請求項１に記載の発明によれば、表示手段の表示領域を照明する複数の発光手段からの発光光量が光量検出手段により検出される。なお、上記発光手段としては、発光管やＬＥＤ等の発光素子が例示できる。また、上記光量検出手段には、フォトダイオード、フォトトランジスタ等の光電変換素子を含めることができる。
【００１５】
ここで、本発明では、光量調節手段によって、光量検出手段により検出された発光光量に基づいて、表示領域における輝度が均等となるように複数の発光手段の発光光量が調節される。
【００１６】
このように、請求項１に記載の発光調節装置によれば、表示手段の表示領域を照明する複数の発光手段からの発光光量を検出し、当該発光光量に基づいて、上記表示領域における輝度が均等となるように上記発光光量を調節しているので、各発光手段の発光光量の製造バラツキの有無にかかわらず表示領域における輝度を均等とすることができ、発光手段の選定作業によるコストの増大を招くことなく、表示領域における輝度を均等にすることができる。
【００１７】
なお、請求項２記載の発明のように、本発明の表示手段を液晶パネルとし、本発明の複数の発光手段を当該液晶パネルのバックライトとすることもできる。これにより、近年、普及が著しい表示装置であり、かつ表示領域においてバックライトによる輝度むらが特に発生しやすい表示装置である液晶ディスプレイについて、発光手段の選定作業によるコストの増大を招くことなく、表示領域における輝度を均等にすることができる効果を享受することができる。
【００１８】
一方、本発明の光量調節手段は、請求項３記載の発明のように、前記複数の発光手段が１つずつ発光された状態で前記光量検出手段により検出された各発光手段毎の発光光量が同一となるように前記複数の発光手段の発光光量を調節することが好ましい。
【００１９】
これにより、各発光手段の発光光量を他の発光手段からの光の影響を受けることなく高精度に検出することができ、この発光光量を同一化することにより光量調節を行っているので、より高精度に表示領域における輝度を均等にすることができる。
【００２０】
更に、本発明の光量検出手段は、請求項４記載の発明のように、隣接する前記発光手段の中間部でかつ当該隣接する発光手段の双方の発光光量が検出可能な位置に配置することが好ましい。
【００２１】
これにより、隣接する発光手段の発光光量を１つの光量検出手段で検出することができるので、光量検出手段の必要数を削減することができると共に、光量検出手段が隣接する発光手段からの発光光の重なる位置に配置されることになるので、光量検出手段が配置されたままの状態で表示装置を使用する用途において、表示領域における輝度に対する光量検出手段の影響を軽減することができる。
【００２２】
【発明の実施の形態】
以下、図面を参照して、本発明の実施の形態について詳細に説明する。なお、本実施の形態では、本発明を、デジタルカメラで用いられているバックライト型の液晶ディスプレイにおける当該バックライトの発光光量の調節を行うものとして適用した場合について説明する。まず、図１を参照して、本実施の形態に係るデジタルカメラ１０の外観上の構成を説明する。
【００２３】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズボタン（所謂シャッター）５６Ａと、電源スイッチ５６Ｂと、が備えられている。
【００２４】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２５】
そして、デジタルカメラ１０では、レリーズボタン５６Ａを半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き全押し状態にすると露光（撮影）が行われる。
【００２６】
一方、デジタルカメラ１０の背面には、前述のファインダ２０の接眼部と、撮影された被写体像やメニュー画面等を表示すると共に、後述するバックライト部３８Ａ（図１では図示省略、図２〜図４参照。）を備えた液晶ディスプレイ（以下、「ＬＣＤ」という。）３８と、撮影を行うモードである撮影モード及び被写体像をＬＣＤ３８に再生するモードである再生モードの何れかのモードに設定する際にスライド操作されるモード切替スイッチ５６Ｃと、が備えられている。
【００２７】
また、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、が更に備えられている。
【００２８】
なお、十字カーソルボタン５６Ｄは、ＬＣＤ３８の表示領域における上・下・左・右の４方向の移動方向を示す４つの矢印キー及び当該４つの矢印キーの中央部に位置された決定キーの合計５つのキーを含んで構成されている。
【００２９】
次に、図２を参照して、本実施の形態に係るデジタルカメラ１０の電気系の構成を説明する。
【００３０】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３１】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３２】
なお、デジタル信号処理部３０は、所定容量のラインバッファを内蔵し、入力されたデジタルデータを後述するメモリ４８の所定領域に直接記憶させる制御も行う。
【００３３】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３４】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００３５】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３６】
なお、本実施の形態のデジタルカメラ１０では、メモリ４８としてＶＲＡＭ（Ｖｉｄｅｏ  ＲＡＭ）が用いられ、メモリカード５２としてスマートメディア（Ｓｍａｒｔ  Ｍｅｄｉａ（Ｒ））が用いられている。
【００３７】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６及び外部メモリインタフェース５０を介したアクセスを各々行うことができる。
【００３８】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３９】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４０】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４１】
更に、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はＣＰＵ４０に接続されており、ＣＰＵ４０は、これらの操作部５６に対する操作状態を常時把握できる。
【００４２】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４３】
ここで、図３を参照して、本実施の形態に係るＬＣＤ３８の構成について詳細に説明する。
【００４４】
ＬＣＤ３８は、画像データに基づく画像を表示する液晶パネル７０と、液晶パネル７０と所定の距離を保って対向する支持板６６と、本発明の複数の発光手段としての３つのＬＥＤ６０Ａ、６０Ｂ、６０Ｃと、本発明の光量検出手段としての２つのフォトダイオード６８Ａ、６８Ｂと、ＬＥＤ６０Ａ、６０Ｂ、６０Ｃの発光光を拡散させて液晶パネル７０に照射する光拡散板７２と、を備えている。
【００４５】
ＬＥＤ６０Ａ、６０Ｂ、６０Ｃは、支持板６６の光拡散板７２側表面に等間隔に配設されると共に、光拡散板７２と支持板６６との間でかつＬＥＤ６０Ａの発光光とＬＥＤ６０Ｂの発光光とが重なる位置にフォトダイオード６８Ａが、光拡散板７２と支持板６６との間でかつＬＥＤ６０Ｂの発光光とＬＥＤ６０Ｃの発光光とが重なる位置にフォトダイオード６８Ｂが、それぞれ配設されている。
【００４６】
次に、図４を参照してバックライト部３８Ａの電気系の構成について詳細に説明する。同図に示されるように、本実施の形態に係るバックライト部３８Ａは、流れる電流量に応じた光量で発光して液晶パネル７０の表示領域を照明する上記ＬＥＤ６０Ａ、６０Ｂ、６０Ｃと、ＬＥＤ６０Ａ、６０Ｂ、６０Ｃからの発光光量を検出する上記フォトダイオード６８Ａ、６８Ｂと、各々ＬＥＤ６０Ａ、６０Ｂ、６０Ｃの発光及び発光停止を切り替える３つのトランジスタ６２Ａ、６２Ｂ、６２Ｃと、ＬＥＤ６０Ａ、６０Ｂ、６０Ｃの発光光量を調節するために抵抗値が変更される３つの可変抵抗器６４Ａ、６４Ｂ、６４Ｃと、を含んで構成されている。
【００４７】
ＬＥＤ６０Ａ、６０Ｂ、６０Ｃのアノードは予め定められたレベルの電圧でプルアップされており、カソードは対応するトランジスタ６２Ａ、６２Ｂ、６２Ｃのコレクタに接続されている。
【００４８】
一方、トランジスタ６２Ａ、６２Ｂ、６２Ｃのエミッタは、対応する可変抵抗器６４Ａ、６４Ｂ、６４Ｃを介して接地されている。
【００４９】
また、トランジスタ６２Ａ、６２Ｂ、６２Ｃの各々のベースは、抵抗器を介してＬＣＤインタフェース３６に接続されており、トランジスタ６２Ａ、６２Ｂ、６２Ｃが、ＬＣＤインタフェース３６によりそれぞれ独立してオン／オフ制御されることにより、ＬＥＤ６０Ａ、６０Ｂ、６０Ｃのそれぞれの発光／発光停止が切り替えられる。
【００５０】
さらに、可変抵抗器６４Ａ、６４Ｂ、６４Ｃは各々ＬＣＤインタフェース３６に接続されており、可変抵抗器６４Ａ、６４Ｂ、６４Ｃの抵抗値はＬＣＤインタフェース３６によりそれぞれ独立して変更されることにより、ＬＥＤ６０Ａ、６０Ｂ、６０Ｃのそれぞれの発光光量が調節される。
【００５１】
一方、フォトダイオード６８Ａ、６８Ｂのアノード及びカソードは、ＬＣＤインタフェース３６に接続されており、ＬＣＤインタフェース３６は、フォトダイオード６８Ａ、６８Ｂによる光量の検出結果を把握できる。
【００５２】
本実施の形態では、ＬＣＤインタフェース３６により把握されるバックライト部３８Ａの状態（各ＬＥＤの発光光量）はＣＰＵ４０によって把握できるものとされており、ＬＣＤインタフェース３６では、ＣＰＵ４０からの指示信号に応じてトランジスタ６２Ａ、６２Ｂ、６２Ｃのオン／オフ状態の切り替え及び可変抵抗器６４Ａ、６４Ｂ、６４Ｃの抵抗値の変更を行なう。
【００５３】
以下に、本実施の形態に係るデジタルカメラ１０の作用を説明する。
【００５４】
はじめに、本実施の形態に係るデジタルカメラ１０の撮影時における全体的な動作について簡単に説明する。
【００５５】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５６】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５７】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって８ビットのデジタル画像データを生成する。
【００５８】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５９】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００６０】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００６１】
ところで、本実施の形態に係るデジタルカメラ１０では、電源スイッチ５６Ｂの操作により電源の投入が指示されると、所定の電源投入処理を実行すると共に、ＣＰＵ４０においてバックライト３８Ａの光量を調節する光量調節処理プログラムが実行される。
【００６２】
図５は、当該光量調節処理プログラムの処理の流れを示すフローチャートであり、以下、同図を参照して本実施の形態に係る光量調節処理について説明する。
【００６３】
まず、ステップ１００では、中央のＬＥＤ６０Ｂの発光を開始させる旨を示す信号をＬＣＤインタフェース３６に出力する。これに応じてＬＣＤインタフェース３６では、中央のＬＥＤ６０Ｂの発光及び発光停止を切り替えるトランジスタ６０Ｂをオンにする。
【００６４】
これにより、ＬＥＤ６０Ｂは発光を開始し、フォトダイオード６８Ａ、６８Ｂで受光される光量に変化が生じる。ＬＣＤインタフェース３６ではフォトダイオード６８Ａで発生する電流に基づき、受光光量を示す検出値をＣＰＵ４０に出力する。
【００６５】
なお、本実施の形態では、フォトダイオード６８Ａ、６８Ｂは何れもＬＥＤ６０Ｂに対する相対位置が略同様であるため、このときの各々の受光光量は略同様であり、何れのフォトダイオードによる検出値を用いてもよいが、ここではフォトダイオード６８Ａによる検出値を用いるものとする。
【００６６】
ステップ１０２では、ＬＣＤインタフェース３６から入力された検出値が予め図示しないメモリの所定領域に記憶された所定範囲内であったか否かを判定する。なお、上記所定範囲としては任意の範囲を適用することができるが、デジタルカメラ１０のユーザやデジタルカメラ１０の製造者等によって予め設定された範囲等を適用することもできる。
【００６７】
ステップ１０２で否定判定となった場合は、ステップ１０４に移行して、検出値が上記所定範囲の上限値を超えているか否かを判定する。当該判定が肯定判定である場合は、ＬＥＤ６０Ｂの発光光量が大きすぎると判断してステップ１０６に移行し、ＬＣＤインタフェース３６にＬＥＤ６０Ｂの発光光量を所定量減少させる旨を示す信号を出力し、その後再びステップ１０２に戻る。
【００６８】
一方、ステップ１０４で否定判定となった場合は、ＬＥＤ６０Ｂの発光光量が小さすぎると判断してステップ１０８に移行し、ＬＣＤインタフェース３６にＬＥＤ６０Ｂの発光光量を所定量増加させる旨を指示する信号を出力し、その後再びステップ１０２に戻る。
【００６９】
ＬＣＤインタフェース３６では、ＬＥＤ６０Ｂの発光光量を所定量減少させる旨を示す信号が入力されると、可変抵抗器６４Ｂの抵抗値を所定量増加させて、ＬＥＤ６０Ｂに流れる電流量を所定量減少させる。また、ＬＣＤインタフェース３６では、ＬＥＤ６０Ｂの発光光量を所定量増加させる旨を示す信号が入力されると、可変抵抗器６４Ｂの抵抗値を所定量減少させて、ＬＥＤ６０Ｂに流れる電流量を所定量増加させる。
【００７０】
一方、ステップ１０２で肯定判定となった場合は、ＬＥＤ６０Ｂの発光光量が適正な範囲にあると判断し、ステップ１１０に移行する。ステップ１１０では、この時点のフォトダイオード６８Ａによる検出値を基準値としてメモリ（図示省略）の所定領域に記憶し、その後、ステップ１１２に移行して、ＬＣＤインタフェース３６にＬＥＤ６０Ｂの発光を停止させる旨を示す信号を出力する。これに応じてＬＣＤインタフェース３６ではトランジスタ６０Ｂをオフにすることにより、ＬＥＤ６０Ｂの発光を停止させる。
【００７１】
このように、本光量調節処理では、まず、中央のＬＥＤ６０Ｂの発光光量を調節し、調節後の発光光量でＬＥＤ６０Ｂが発光したときのフォトダイオード６８Ａによる検出値を基準として他のＬＥＤ６０Ａ、６０Ｃの発光光量を調節する。
【００７２】
次のステップ１１４では、中央のＬＥＤ６０Ｂ以外のＬＥＤ６０Ａ、６０Ｃであって、まだ光量の調節を行なっていないＬＥＤのうち何れか１つのＬＥＤ（例えば、ＬＥＤ６０Ａ。）の発光を開始させる旨を示す信号をＬＣＤインタフェース３６に出力する。これに応じてＬＣＤインタフェースでは、ＬＥＤ６０Ａの発光及び発光停止を切り替えるトランジスタ６２ＡをオンにしてＬＥＤ６０Ａの発光を開始させる。
【００７３】
次のステップ１１６では、２つのフォトダイオード６８Ａ、６８Ｂのうち、発光させたＬＥＤ６０Ａに近い方のフォトダイオード６８Ａの検出値が上記基準値と一致するか否かを判定する。
【００７４】
ステップ１１６で否定判定となった場合はステップ１１８に移行して、検出値が基準値を超えているか否かを判定する。ステップ１１８で肯定判定となった場合は、ＬＥＤ６０Ａの発光光量が大きすぎると判断してステップ１２０に移行し、ＬＥＤ６０Ａの発光光量を所定量減少させる旨を示す信号をＬＣＤインタフェース３６に出力し、その後再びステップ１１６に戻る。一方、ステップ１１８で否定判定となった場合は、ＬＥＤ６０Ａの発光光量が小さすぎると判断してステップ１２２に移行し、ＬＥＤ６０Ａの発光光量を所定量増加させる旨を示す信号をＬＣＤインタフェース３６に出力し、その後再びステップ１１６に戻る。
【００７５】
ＬＣＤインタフェース３６では、入力された信号に応じて、ＬＥＤ６０Ａに流れる電流量を変更するために、可変抵抗器６４Ａの抵抗値を所定量減少又は増加させる。
【００７６】
一方、ステップ１１６で肯定判定となった場合は、ＬＥＤ６０Ａの発光光量がＬＥＤ６０Ｂの発光光量と略一致しており、当該ＬＥＤ６０Ａの発光光量の調節を終了するものと判断し、ステップ１２４に移行して、ＬＥＤ６０Ａの発光を停止させる旨を示す信号をＬＣＤインタフェース３６に出力する。これにより、ＬＣＤインタフェース３６ではトランジスタ６２Ａをオフにして、ＬＥＤ６０Ａの発光を停止させる。
【００７７】
次のステップ１２６では、全てのＬＥＤについて光量調節が終了したか否かを判定する。当該判定が否定判定である場合は、再びステップ１１４に戻り、まだ光量調節を行なっていないＬＥＤについて、発光を開始させる。
【００７８】
一方、ステップ１２６で肯定判定となった場合は、全てのＬＥＤについて光量調節が終了しており、各ＬＥＤの発光光量が略同一になっていると判断して、本光量調節処理を終了する。
【００７９】
このようにして、中央のＬＥＤ６０Ｂの発光光量を基準とし、他のＬＥＤの発光光量を中央のＬＥＤ６０Ｂに合わせて調節していくことで、全てのＬＥＤの発光光量が同一になり、これにより液晶パネル７０における輝度を均等にすることができる。
【００８０】
以上詳細に説明したように、本実施の形態に係るデジタルカメラ１０によれば、液晶パネル７０の表示領域を照明する複数のＬＥＤ６０Ａ、６０Ｂ、６０Ｃからの発光光量を検出し、当該発光光量に基づいて、上記液晶パネル７０の表示領域における輝度が均等となるように上記発光光量を調節しているので、各ＬＥＤ６０Ａ、６０Ｂ、６０Ｃの発光光量の製造バラツキの有無にかかわらず液晶パネル７０の表示領域における輝度を均等とすることができ、ＬＥＤの選定作業によるコストの増大を招くことなく、液晶パネル７０の表示領域における輝度を均等にすることができる。
【００８１】
特に、本実施の形態に係るデジタルカメラ１０では、本発明の表示手段として液晶パネルを適用し、本発明の複数の発光手段として当該液晶パネルのバックライトを適用しているので、近年、普及が著しい表示装置であり、かつ表示領域においてバックライトによる輝度むらが特に発生しやすい表示装置である液晶ディスプレイについて、ＬＥＤの選定作業によるコストの増大を招くことなく、液晶パネル７０の表示領域における輝度を均等にすることができる効果を享受することができる。
【００８２】
また、本実施の形態に係るデジタルカメラ１０では、複数のＬＥＤ６０Ａ、６０Ｂ、６０Ｃが１つずつ発光された状態でフォトダイオード６８Ａ、６８Ｂにより検出された各ＬＥＤ毎の発光光量が同一となるように複数のＬＥＤ６０Ａ、６０Ｂ、６０Ｃの発光光量を調節しているので、各ＬＥＤ６０Ａ、６０Ｂ、６０Ｃの発光光量を他のＬＥＤからの光の影響を受けることなく高精度に検出することができ、この発光光量を同一化することにより光量調節を行っているので、より高精度に液晶パネル７０の表示領域における輝度を均等にすることができる。
【００８３】
更に、本実施の形態に係るデジタルカメラ１０では、フォトダイオード６８Ａ、６８Ｂを、隣接するＬＥＤの中間部でかつ当該隣接するＬＥＤの双方の発光光量が検出可能な位置に配置しているので、隣接するＬＥＤの発光光量を１つのフォトダイオードで検出することができ、フォトダイオードの必要数を削減することができると共に、フォトダイオードが隣接するＬＥＤからの発光光の重なる位置に配置されることになるので、フォトダイオードが配置されたままの状態でＬＣＤ３８を使用しても、液晶パネル７０の表示領域における輝度に対するフォトダイオードの影響を軽減することができる。
【００８４】
なお、本実施の形態では、光量調節処理を行うタイミングを、デジタルカメラ１０に対する電源投入時として説明したが、本発明はこれに限定されるものではなく、ユーザによる所定の操作によりバックライトの光量調節が指示されたタイミングや、ＬＣＤ３８への画像の表示を開始するタイミング等を適用することもできる。この場合も、本実施の形態と同様の効果を奏することができる。
【００８５】
（他の実施の形態）
上記実施の形態では、デジタルカメラ１０に備えられたＬＣＤ３８のバックライト部３８Ａに、ＬＥＤ６０Ａ、６０Ｂ、６０Ｃと、ＬＥＤ６０Ａ、６０Ｂ、６０Ｃの光量を検出するフォトダイオード６８Ａ、６８Ｂとを設け、ＣＰＵ４０によってＬＥＤ６０Ａ、６０Ｂ、６０Ｃの光量調節処理を実行する形態について説明したが、本発明はこれに限定されるものではなく、デジタルカメラの生産工程において、生産治具を用いてＬＥＤの光量調節処理を行い、各ＬＥＤの発光光量を同一化する形態としてもよい。
【００８６】
図６には、デジタルカメラ１０Ｂの生産工程において、生産治具９４を用いて複数のＬＥＤ８０Ａ、８０Ｂ、８０Ｃの発光光量を同一化する形態の一例として、治具９４側にフォトダイオード８８Ａ、８８Ｂを設けた場合の構成が示されている。
【００８７】
以下、同図を参照して、本発明の他の実施の形態について説明する。なお、他の実施の形態に係るデジタルカメラ１０Ｂは、図６に示す部分を除く構成が上記実施の形態で説明したデジタルカメラ１０（図１及び図２参照。）と同一であるので、その説明を省略する。
【００８８】
図６に示されるように、デジタルカメラ１０Ｂのバックライト部３９は、流れる電流量に応じた光量で発光して液晶パネル７０の表示領域を照明するＬＥＤ８０Ａ、８０Ｂ、８０Ｃと、各々ＬＥＤ８０Ａ、８０Ｂ、８０Ｃの発光及び発光停止を切り替える３つのトランジスタ８２Ａ、８２Ｂ、８２Ｃと、ＬＥＤ８０Ａ、８０Ｂ、８０Ｃの発光光量を調節するために抵抗値が変更される３つの可変抵抗器８４Ａ、８４Ｂ、８４Ｃと、を含んで構成されている。
【００８９】
ＬＥＤ８０Ａ、８０Ｂ、８０Ｃのアノードは予め定められたレベルの電圧でプルアップされており、カソードは対応するトランジスタ８２Ａ、８２Ｂ、８２Ｃのコレクタに接続されている。
【００９０】
一方、トランジスタ８２Ａ、８２Ｂ、８２Ｃのエミッタは、対応する可変抵抗器８４Ａ、８４Ｂ、８４Ｃを介して接地されている。
【００９１】
また、トランジスタ８２Ａ、８２Ｂ、８２Ｃの各々のベースは、抵抗器を介してＬＣＤインタフェース３６Ｂに接続されており、トランジスタ８２Ａ、８２Ｂ、８２Ｃが、ＬＣＤインタフェース３６Ｂによりそれぞれ独立してオン／オフ制御されることにより、ＬＥＤ８０Ａ、８０Ｂ、８０Ｃのそれぞれの発光／発光停止が切り替えられる。
【００９２】
さらに、可変抵抗器８４Ａ、８４Ｂ、８４Ｃは各々ＬＣＤインタフェース３６Ｂに接続されており、可変抵抗器８４Ａ、８４Ｂ、８４Ｃの抵抗値はＬＣＤインタフェース３６Ｂによりそれぞれ独立して変更されることにより、ＬＥＤ８０Ａ、８０Ｂ、８０Ｃのそれぞれの発光光量が調節される。
【００９３】
一方、生産治具９４は、ＬＥＤ８０Ａ、８０Ｂ、８０Ｃからの発光光量を検出するフォトダイオード８８Ａ、８８Ｂと、治具制御部９６とを含んで構成されており、フォトダイオード８８Ａ、８８Ｂのアノード及びカソードは、治具制御部９６に接続されている。
【００９４】
また、生産治具９４は、生産工程においてデジタルカメラ１０ＢのＣＰＵ４０Ｂに接続可能に構成されており、治具制御部９６はデジタルカメラ１０Ｂに接続された状態で、フォトダイオード８８Ａ、８８Ｂによる光量の検出結果、及びＬＣＤインタフェース３６Ｂで把握されるバックライト部３９の動作状態を把握できるものとされている。
【００９５】
また、治具制御部９６には、図示しないメモリ等に光量調節処理プログラムが記憶されており、生産治具９４がデジタルカメラ１０ＢのＣＰＵ４０Ｂに接続されると、治具制御部９６では、当該光量調節処理プログラムが実行される。
【００９６】
なお、ここで実行される光量調節処理プログラムは、上記実施の形態に係る光量調節処理プログラム（図５参照）と略同様のものであるが、同プログラムのフローチャートにおいて、ステップ１００、ステップ１０６、ステップ１０８、ステップ１１２、ステップ１１４、ステップ１２０、ステップ１２２及びステップ１２４の処理は、治具制御部９６からＣＰＵ４０Ｂを介してＬＣＤインタフェース３６Ｂに指示信号を出力することにより行なわれる処理となる。ＬＣＤインタフェース３６Ｂでは、上記実施の形態において説明したように、入力された指示信号に基づいてトランジスタ８２Ａ、８２Ｂ、８２Ｃの切り替え及び可変抵抗器８４Ａ、８４Ｂ、８４Ｃの抵抗値の変更を行なう。
【００９７】
このように、生産治具９４を用いて各ＬＥＤ８０Ａ、８０Ｂ、８０Ｃの光量を調節する場合、フォトダイオード８８Ａ、８８Ｂは実機には搭載されないため、フォトダイオード８８Ａ、８８Ｂが液晶パネル７０の表示領域の輝度に及ぼす影響がない。また、上記実施の形態と同様に、ＬＥＤの選定作業によるコストの増大を招くことなく、高精度に液晶パネル７０の表示領域における輝度を均等にすることができる。
【００９８】
なお、各実施の形態において、２つのフォトダイオードの光電変換特性が同じものを適用することが好ましい。
【００９９】
また、フォトダイオードで受光された光量を示す検出値は、単にフォトダイオードの電流値のみによって決定するより、例えば、各ＬＥＤとフォトダイオードとの相対位置がそれぞれ異なる場合には、発光したＬＥＤと発光光を検出したフォトダイオードとの相対位置（距離及び角度）に応じて検出値を適宜補正することが好ましい。
【０１００】
このようにしてＬＥＤとフォトダイオードの相対位置に応じて検出値を補正することで、上記各実施の形態において、フォトダイオードを１つだけ設けて、１つのフォトダイオードによって３つのＬＥＤの光量を検出するようにしてもよい。
【０１０１】
また、上記実施の形態で説明した光量調節処理プログラム（図５参照）の処理の流れは一例であり、本発明の主旨を逸脱しない範囲において適宜変更可能であることは言うまでもない。
【０１０２】
例えば、３つのＬＥＤを同時に発光させ、２つのフォトダイオードによる発光光量の検出値が均等になるように、中央以外のＬＥＤの光量を調節するようにしてもよい。
【０１０３】
また、各実施の形態に係るＬＣＤの構成（図３、図４及び図６）も一例であり、本発明の主旨を逸脱しない範囲内において適宜変更可能であることは言うまでもない。
【０１０４】
さらに、本発明は、デジタルカメラに適用されるＬＣＤのバックライトの光量を調節するものに限定されるものではなく、様々な装置に適用される表示手段を照明するための発光手段の発光調節装置に適用可能である。
【０１０５】
【発明の効果】
以上説明したように、本発明によれば、表示手段の表示領域を照明する複数の発光手段からの発光光量を検出し、当該発光光量に基づいて、上記表示領域における輝度が均等となるように上記発光光量を調節しているので、各発光手段の発光光量の製造バラツキの有無にかかわらず表示領域における輝度を均等とすることができ、発光手段の選定作業によるコストの増大を招くことなく、表示領域における輝度を均等にすることができる、という効果が得られる。
【図面の簡単な説明】
【図１】実施の形態に係るデジタルカメラの構成を示す外観図である。
【図２】実施の形態に係るデジタルカメラの電気系の構成を示すブロック図である。
【図３】実施の形態に係るＬＣＤの構成を示す断面側面図である。
【図４】実施の形態に係るバックライト部の構成を示す回路図である。
【図５】実施の形態に係る光量調節処理プログラムの処理の流れを示すフローチャートである。
【図６】他の実施の形態に係るバックライト部及び生産治具の構成を示す回路図を含むブロック図である。
【符号の説明】
１０    デジタルカメラ
３８    ＬＣＤ
３８Ａ    バックライト部
４０    ＣＰＵ（光量調節手段）
６０Ａ〜６０Ｃ    ＬＥＤ（発光手段）
６８Ａ、６８Ｂ    フォトダイオード（光量検出手段）
７０    液晶パネル（表示手段）
８０Ａ〜８０Ｃ    ＬＥＤ（発光手段）
８８Ａ、８８Ｂ    フォトダイオード（光量検出手段）
９４    生産治具
９６    治具制御部（光量調節手段）
【図１】
2004325845.tif 000003
【図２】
2004325845.tif 000004
【図３】
2004325845.tif 000005
【図４】
2004325845.tif 000006
【図５】
2004325845.tif 000007
【図６】
2004325845.tif 000008